(57)【要約】【課題】スキャン動作による振動、送り速度ムラ、撮像測定周期誤差などに左右されず、計測対象の正確な位置での反射光の波長スペクトルを安定して精度良く計測できる分光計測ユニットを提供する。【解決手段】分光計測装置２は、照明ユニット４と、分光計測ユニット６とを有している。分光計測ユニット６は、ビームスプリッタ８と、結像光学系としての縮小結像レンズ１０と、分光計測手段１２と、結像光学系としての縮小結像レンズ１４と、画像計測手段１６とを有している。分光計測手段１２は、計測対象としての用紙１８に照射された光の反射光を受光して色情報を得るための手段であり、画像計測手段１６は、分光計測手段１２よりも高い解像度を有し、計測対象に照射された光の反射光を受光して、分光計測手段１２による分光計測位置とこれに対応する計測対象の元データの位置との関係の位置情報を得るための手段である。【選択図】図１
2017106887.tif 000002
【特許請求の範囲】
【請求項１】
光照射手段から計測対象に照射された光の反射光を受光して色情報を得る分光計測手段と、
前記分光計測手段よりも高い解像度を有し、前記反射光を受光して、前記分光計測手段による分光計測位置とこれに対応する前記計測対象の元データの位置との関係の位置情報を得るための画像計測手段と、
を有する分光計測ユニット。
【請求項２】
請求項１に記載の分光計測ユニットにおいて、
前記画像計測手段が、イメージセンサである分光計測ユニット。
【請求項３】
請求項１又は２に記載の分光計測ユニットにおいて、
前記分光計測手段が、前記反射光が通過する開口部と、前記開口部を通過した光が結像する結像手段と、前記結像手段により結像された反射光を回折させて回折像を形成する回折手段と、前記回折像を複数の画素で受光する受光手段と、を備えている分光計測ユニット。
【請求項４】
計測対象に光を照射する光照射手段と、
前記光照射手段から前記計測対象に照射された光の反射光を受光する分光計測ユニットと、
を有し、
前記分光計測ユニットが請求項１〜３のいずれか１つに記載のものである分光計測装置。
【請求項５】
請求項４に記載の分光計測装置において、
前記分光計測手段が前記計測対象の移動方向と直交する幅方向に複数配置され、前記複数の分光計測手段のそれぞれの計測領域の反射光成分が互いに別の分光計測手段に入射することを防止する遮光マスクを備えている分光計測装置。
【請求項６】
請求項５に記載の分光計測装置において、
前記分光計測手段と前記画像計測手段とは、前記光照射手段から前記計測対象に照射された光の反射光を前記分光計測手段と前記画像計測手段のそれぞれの入射面に結像する光路の一部が前記幅方向とは異なる前記移動方向と直交する方向にずれるように配置されている分光計測装置。
【請求項７】
請求項５に記載の分光計測装置において、
前記分光計測手段と前記画像計測手段とは、前記光照射手段から前記計測対象に照射された光の反射光の光路の角度が異なる分光計測装置。
【請求項８】
請求項４〜７のいずれか１つに記載の分光計測装置において、
前記遮光マスクは、前記分光計測手段と前記画像計測手段との前記反射光の光路が異なる位置に設けられている分光計測装置。
【請求項９】
請求項４〜８のいずれか１つに記載の分光計測装置において、
前記画像計測手段で計測された位置情報と前記計測対象の元データとを照合して前記分光計測手段による分光計測位置を割り出し、該分光計測位置における前記分光計測手段の計測結果と前記元データにおける前記分光計測位置に対応する位置の色情報とを比較する比較手段を有する分光計測装置。
【請求項１０】
像担持体と、
前記像担持体に形成された画像が転写される転写体と、
前記画像が転写された前記転写体の表面に光を照射し、前記転写体からの反射光を受光して前記転写体の表面の分光特性を取得する分光計測装置と、
を有し、
前記分光計測装置が、請求項４〜９のいずれか１つに記載のものである画像形成装置。
【請求項１１】
光照射手段から計測対象に照射された光の反射光を受光して色情報を得る分光計測を行い、
前記分光計測と同時に且つ前記分光計測とは別個に、前記分光計測よりも高い解像度で前記分光計測時に受光される反射光を受光して前記計測対象の位置情報を取得する画像計測を行い、
前記位置情報と前記計測対象の元データとを照合して前記分光計測における分光計測位置を割り出し、該分光計測位置における計測結果と前記元データにおける前記分光計測位置に対応する位置の色情報とを比較する分光計測方法。
【発明の詳細な説明】
【技術分野】
【０００１】
本発明は、分光計測ユニット、分光計測装置、画像形成装置及び分光計測方法に関する。
【背景技術】
【０００２】
近年、電子写真方式やインクジェット方式等のフルカラー画像形成装置（プリンタ、複写機等）では、紙等の画像担持体上に印字されるカラー画像に対して高い画像品質が要求されており、色再現性の向上は重要な技術課題の一つである。
この技術課題に対応するためには、画像形成後の色を測定する分光計測装置を搭載し、この分光計測装置の計測情報を基に画像形成装置の調整を行うことが望ましい。
色再現性を向上させるためには、分光計測装置による計測は画像全域で実行されることが望ましく、多数の分光センサを画像担持体の送り方向に直交する方向にアレイ状に配列した分光センサアレイを搭載し、任意の画像から任意の位置の色情報を取得する方法がある。
【０００３】
例えば、特許文献１では、複数の受光素子を用紙の搬送方向と直交する幅方向にライン状に並べ、トナーパターンを担持して移動する用紙の表面に光を照射し、反射光を分光計測装置で計測している。
特許文献２には、位置決めマークを検知できるセンサを付与した分光計測装置が開示されている。
【発明の概要】
【発明が解決しようとする課題】
【０００４】
特許文献１に開示されている構成では、例えばスキャン動作による振動、送り速度ムラ、撮像測定周期誤差などにより、測定対象の正確な位置での反射光の波長スペクトルを安定して精度良く計測できないという懸念があった。
特許文献２のように位置決めマークを検知する方式では、決められたパターンでの測定が可能となるのみであり、スキャン動作による振動、送り速度ムラ、撮像測定周期誤差といった微小な位置ズレに関しては対応できない。
そのため、例えばユーザー側で出力する高解像度画像等を用いた色計測では、正確な場所が特定できないため、分光特性にずれが生じ、十分な精度での分光特性の取得を安定して行うことが困難となる。
これは、分光センサ特有の問題である。すなわち、分光センサでは測定した光を回折させて分光分布を把握するためにラインセンサの複数の画素で１点を計測していく特性上、計測ピッチが粗くなり低解像度となってしまうためである。
【０００５】
本発明は、このような現状に鑑みて創案されたもので、計測対象の正確な位置での反射光の波長スペクトルを安定して精度良く計測できる分光計測ユニットの提供を、その主な目的とする。
【課題を解決するための手段】
【０００６】
上記目的を達成するために、本発明の分光計測ユニットは、光照射手段から計測対象に照射された光の反射光を受光して色情報を得る分光計測手段と、前記分光計測手段よりも高い解像度を有し、前記反射光を受光して、前記分光計測手段による分光計測位置とこれに対応する前記計測対象の元データの位置との関係の位置情報を得るための画像計測手段と、を有する。
【発明の効果】
【０００７】
本発明によれば、計測対象の正確な位置での反射光の波長スペクトルを安定して精度良く計測できる分光計測ユニットを提供できる。
【図面の簡単な説明】
【０００８】
【図１】本発明の第１の実施形態に係る分光計測装置の使用状態を示す斜視図である。
【図２】同分光計測装置の一部分の概要断面図である。
【図３】撮像素子に対する回折像の位置関係を示す図である。
【図４】制御ブロック図である。
【図５】分光計測動作を示すフローチャートである。
【図６】画像計測手段の位置情報に基づいて分光計測手段の計測位置を推定する手法を説明するための図である。
【図７】第２の実施形態に係る分光計測装置を示す斜視図である。
【図８】図７の分光計測装置の正面図である。
【図９】図７の分光計測装置における計測領域と分光計測手段及び画像計測手段の位置関係を示す側面図である。
【図１０】分光計測手段が主走査方向に複数配置される構成における一般的な遮光マスクの配置例を示す図である。
【図１１】分光計測手段の間に画像計測手段が存在する場合の遮光マスクの配置におけるスペース的な困難性を示す図である。
【図１２】第３の実施形態に係る分光計測装置を示す斜視図である。
【図１３】第３の実施形態における分光計測装置の正面図である。
【図１４】遮光マスクの一例を示す平面図である。
【図１５】遮光マスクの配置構成を示す図で、（ａ）は第３の実施形態の図、（ｂ）は良くない例を示す図である。
【図１６】第４の実施形態に係る画像形成装置の概要構成図である。
【発明を実施するための形態】
【０００９】
以下、本発明の実施形態を図を参照して説明する。
図１乃至図６に基づいて第１の実施形態を説明する。図１は、本実施形態に係る分光計測装置の使用状態を示す斜視図である。
分光計測装置２は、光照射手段としての照明ユニット４と、分光計測ユニット６とを有している。分光計測ユニット６は、ビームスプリッタ８と、結像光学系としての縮小結像レンズ１０と、分光計測手段１２と、結像光学系としての縮小結像レンズ１４と、画像計測手段１６とを有している。
【００１０】
分光計測手段１２は、計測対象に照射された光の反射光を受光して色情報を得るための手段である。画像計測手段１６は、分光計測手段１２よりも高い解像度を有し、分光計測時に計測対象に照射された光の反射光の一部を分光計測手段１２とは別個に受光して、分光計測手段１２による分光計測位置とこれに対応する計測対象の元データの位置との関係の位置情報を得るための手段である。
換言すれば、画像計測手段１６は、分光計測手段１２で色情報を得た位置と、該色情報を得た位置に対応する計測対象の位置との関係を得るための手段である。
【００１１】
表面にトナー画像を転写されて定着された、計測対象としての用紙１８が一定の速度で搬送されている。用紙１８の上方にはライン型の照明ユニット４が配置されている。
照明ユニット４は、用紙１８の搬送方向（Ｙ方向）に直交する用紙幅方向（Ｘ方向）の全体に亘る計測領域１８ａを、用紙１８の法線方向（Ｚ方向）に対して４５度傾斜した方向から照明する。
照明ユニット４は、可視光のほぼ全域において光強度を有する白色光を射出するものであり、分光計測に必要な波長領域の光を射出し、かつ計測領域全体に亘って均一に照明可能であることが好ましい。一例として、ＬＥＤアレイ、冷陰極管などの蛍光灯やランプ光源を用いることができる。
【００１２】
照明ユニット４はコリメートレンズを有しており、白色光はコリメートレンズにより平行光となる。これにより、照明ユニット４は線状の照明光を射出する。
計測領域１８ａからの反射光は、縮小結像レンズ１０を通って分光計測手段１２に入射する。縮小結像レンズ１０は、その光軸が計測領域１８ａの法線方向（Ｚ方向）になるように配置され、反射光を分光計測手段１２の入射面に結像する。
縮小結像レンズ１０に像側テレセントリック特性を付加することで、像面に入射する光束の主光線は、光軸と略平行となる。
【００１３】
また、計測領域１８ａからの反射光の一部は縮小結像レンズ１４を通って画像計測手段１６に入射する。縮小結像レンズ１４は、その光軸が縮小結像レンズ１０と同軸となるように配置され、計測領域１８ａからの反射光の一部を画像計測手段１６の入射面に結像する。
縮小結像レンズ１４においても縮小結像レンズ１０と同様に像側テレセントリック特性を付加することで、像面に入射する光束の主光線は、光軸と略平行となる。
計測領域１８ａからの反射光はビームスプリッタ８により所定の分割比で２つの光に分割され、計測領域１８ａの同一位置の反射光が分光計測手段１２と画像計測手段１６のそれぞれに結像する。
【００１４】
画像計測手段１６は分光計測手段１２のように絶対色を計測するセンサとは異なり、相対的な濃度分布と高解像度の位置情報を把握できるセンサであり、例えばモノクロまたはＲＧＢセンサのような６００ｄｐｉ以上の高解像度のイメージセンサが好ましい。
この程度の位置分解能を有していれば、用紙１８内での画像の絶対位置を正確に計測することが可能となる。
【００１５】
図２は、分光計測手段１２の一部分を拡大した図である。
縮小結像レンズ１０から入射して結像した像の像面には、反射光が通過する開口部としてのピンホールを所定の間隔でＸ方向に配列したピンホールアレイ２１が配置される。ピンホールアレイ２１は、光透過性フレームとしての透明な平板状のガラス基材２８ａに一体に設けられている。これにより計測領域１８ａの各位置からの反射光束が、各ピンホールにより抽出される。
ガラス基材２８ａの上面には、結像手段としてのレンズアレイ２２を一体に有する光透過性フレームとしての透明な平板状のガラス基材２８ｂが面同士を合わせて接合されている。
【００１６】
レンズアレイ２２の各レンズは、ピンホールアレイ２１の各ピンホールを透過した各光束をそれぞれ集光し、受光手段としての撮像素子２４上にそれぞれの像を結像する。
ガラス基材２８ｂの上面には、回折手段としての回折素子２３を一体に有する光透過性フレームとしての透明な平板状のガラス基材２８ｃがスペーサ２６を介して接合されている。
回折素子２３はガラス基材２８ｃの下面（入射面）に形成されており、レンズアレイ２２の各レンズを透過した各光束をそれぞれ分光し、撮像素子２４上にそれぞれの回折像を形成する。
撮像素子２４は複数の画素に相当する複数の受光素子がＸ方向に配列された構成を有しており、各回折像をそれぞれ異なる位置の複数の受光素子で受光する。
【００１７】
撮像素子２４はパッケージ２５の内部に固定され、パッケージ２５の開口部は光透過性のフレームとしての透明なカバーガラス２７で塞がれている。カバーガラス２７はガラス基材２８ｃの上面に接合されている。
【００１８】
ピンホールアレイ２１の各ピンホールと、これに対応したレンズアレイ２２の各レンズ、回折素子２３、撮像素子２４の対応する受光素子群との組み合わせを、以下、分光センサと称する。図２では分光センサを３個だけ図示しているが、本発明はこれに限定されず、多数の分光センサを有する構成であってよい。
例えば、撮像素子２４として１０２４画素のラインセンサを用い、各受光素子群の画素数を１０画素とした場合、１０２個の分光センサを構成できる。
【００１９】
図３に示すように、回折素子２３の回折軸方向をＸ方向に対して所定の角度をもたせることで、各分光センサの像のうち所定の回折次数の像のみを撮像素子２４の受光素子上に集光させ、信号として取得することができる。
分光光学系においては、光が入射する開口と結像手段、回折手段によって形成される回折像と撮像素子２４の相対的な位置ずれが測定精度に大きな影響を及ぼす。
本実施形態では、これらの位置ずれを抑制すべく、開口、結像手段、回折手段及び受光手段を計測領域１８ａからの反射光の進行方向に積層状態に重ね合わせて接合し、一体化している。
【００２０】
分光計測装置２による分光計測動作を、図４及び図５に基づいて説明する。
図４に示すように、分光計測装置２は、比較手段としての制御手段３０を有している。制御手段３０は、画像計測手段１６で計測された位置情報と用紙１８上に担持された画像の画像処理データ（元データ）とを照合して、分光計測手段１２による分光計測位置を割り出し、該分光計測位置における分光計測手段１２の計測結果と前記元データにおける前記分光計測位置に対応する位置の色情報とを比較する。
計測領域１８ａの用紙搬送方向手前には、フォトダイオード等からなる用紙検知センサ３２が設置されている。
【００２１】
制御手段３０は、ＣＰＵ（Central processing Unit）、ＲＯＭ（Read Only Memory）、ＲＡＭ（Random Access Memory）、Ｉ／Ｏインターフェース等を備えたマイクロコンピュータである。
【００２２】
図５に示すように、用紙検知センサ３２がオンすると（Ｓ１）、制御手段３０は所定のタイミングで分光計測手段１２による分光計測と、画像計測手段１６による画像位置計測をスタートさせる（Ｓ２）。
すなわち、表面にトナー画像を転写されて定着された用紙１８が搬送され、照明ユニット４により光が照射される計測領域１８ａに達したとき、ライン状の計測領域１８ａの反射光を分光計測手段１２と画像計測手段１６とが同時に測定を行う。
このときの画像の取り込みの領域は厳密である必要がなく、例えば用紙検知センサ３２の情報から取り込みタイミングを計ればよい。この場合、画像の取り込み可能な範囲は用紙１８の領域よりも広い範囲であるのが好ましい。
用紙検知センサ３２がオフすると（Ｓ３）、分光計測、画像位置計測が終了する（Ｓ４）。
【００２３】
制御手段３０は、トナー画像の元データと画像計測手段１６で測定したトナー画像情報（位置情報）とを照合して、紙端位置や色計測ポイント（分光計測位置）等を、測定したトナー画像から絶対位置の推定を行う（Ｓ５）。トナー画像の元データは、例えば、画像形成装置の画像処理手段から制御手段３０へ送信される。
分光計測手段１２はその構成上どうしても測定ピッチが数ｍｍとなってしまうが、画像計測手段１６はモノクロまたはＲＧＢセンサのような６００ｄｐｉ以上の高解像度のイメージセンサであるため、４０μｍ以下のピッチで画像の位置を正確に計測することが可能なる。
このため、ビットマップデータなどのトナー画像の元データと画像計測手段１６で測定したトナー画像情報とを照らし合わせて、紙端位置や色計測ポイント等の推定を高精度に行うことができる。
【００２４】
具体的な例で説明する。図６（ａ）は元画像データ（元データ）を、（ｂ）は画像計測手段１６で測定された画像データを、（ｃ）は分光計測手段１２で測定された画像データを示している。
図６（ｃ）に示すように、分光計測手段１２で測定された色情報をマトリクス状に分解した一定範囲の中央部の縦３，横３のポイント範囲は、画像計測手段１６で計測した位置情報では解像度が高いため、縦２５−３５，横２５−３５のポイント範囲に対応する。
図１で示したように、分光計測手段１２と画像計測手段１６は同一の箇所からの反射光を分岐して計測する光学系であるため、図６（ｂ）、（ｃ）は同一位置の画像データとなる。
【００２５】
画像計測手段１６は分光計測手段１２よりも解像度が高いため、上記のようなポイント範囲の数値関係となる。
換言すれば、分光計測手段１２で測定された色情報は、画像計測手段１６で計測した位置情報の上記ポイント範囲の平均値となる。
【００２６】
例えば、ユーザーが図６（ａ）の元画像データの丸印位置（縦５０−７０，横５０−７０のポイント範囲）を、実際に印刷された紙上での色情報を得たいと思う場合、従来であれば図６（ｃ）の状態でしか確認できない。このため、図６（ｃ）の丸印位置（縦３，横３のポイント範囲）が図６（ａ）の丸印位置と同一なのか確認ができなかった。
しかし、上記のように、画像計測手段１６で分光計測手段１２と同一位置を測定することにより、図６（ｃ）の丸印位置は図６（ｂ）の丸印位置（縦２５−３５，横２５−３５のポイント範囲）と同一となる。
このため、ユーザーは、図６（ｂ）の丸印位置を目視することにより、図６（ａ）の元画像データの丸印位置に対応する図６（ｃ）の丸印位置の色情報を等価的に確認することができ、正確な位置で色計測がなされることとなる。
【００２７】
上記はユーザーの目視による色合わせ例であるが、本実施形態では、画像処理プログラムを用いて、図６（ａ）と図６（ｂ）の位置のマッチングを行い、制御手段により自動で図６（ｃ）の位置推定を行っている。
【００２８】
画像計測手段１６で計測した位置情報の上記ポイント範囲は、元データの縦５０−７０，横５０−７０のポイント範囲に対応し、このポイント範囲の平均値が分光計測手段１２で測定された色情報となる。
すなわち、画像計測手段１６による位置情報により、分光計測手段１２で色情報を得た位置と、該色情報を得た位置に対応する計測対象の位置（元データの位置）の関係が得られる。
元データの上記範囲の色情報と、分光計測手段１２で測定された上記ポイントの色情報と比較することにより、色再現性の良否を高精度に判断することが可能となる。
画像計測手段１６がない場合は、位置誤差が数十倍以上になるので、一様で大きな画像の色情報しか把握できない。
【００２９】
制御手段３０は、画像計測手段１６からの絶対位置情報を元に、分光計測手段１２の色計測ポイントの正確な位置を割り出し（Ｓ６）、色計測結果を算出する（Ｓ７）。色計測結果に基づいてトナー濃度、色構成の変更を行う（Ｓ８）。
上記構成によれば、スキャン動作による振動、送り速度ムラ、撮像測定周期誤差など計測装置側の影響や、印字時に紙とトナー画像との位置ズレ等の印刷側の影響にも左右されず、測定対象の正確な位置での反射光の波長スペクトルを安定して精度良く計測することができる。
このため、用紙１８にカラー見本や色パッチ等の色計測用の場所を印字することなく、ユーザー側で出力する任意の高解像度画像等を用いた色計測が可能となる。
【００３０】
図７乃至図９に基づいて第２の実施形態（分光計測装置の他例）を説明する。上記実施形態と同一部分は同一符号で示し、既にした構成上及び機能上の説明は適宜省略する（他の実施形態において同じ）。
本実施形態における分光計測装置３４は、分光計測ユニット３６と、２つの照明ユニット４と、複数の折り返しミラー３８とを有している。
本実施形態では、計測領域１８ａからの反射光を分岐せずに、１つの分光計測手段１２の計測領域と画像計測手段１６の計測領域とが異なるような構成としている。すなわち、２つの分光計測手段１２と１つの画像計測手段１６とが基板４０上に主走査方向にライン状に配置されている。
また、複数の折り返しミラー３８で光路を折り返す構成としている。これは、計測領域１８ａの長さと分光計測手段１２と画像計測手段１６のセンサの大きさとの比から光路長が長くなる傾向にあるため、現実的な構成を考えた場合、コンパクトな構成とする必要があるからである。
【００３１】
図９に示すように、１つの分光計測手段１２の計測領域は計測領域１８ａの半分を見ており、２つの分光計測手段１２を並列配置することで計測領域１８ａの全域を計測できる。
画像計測手段１６の計測領域は計測領域１８ａと同じであり、これらの構成によって、互いに物理的な干渉をすることなく主走査方向にライン状に配置することができる。
また、本実施形態では影の影響をなくして計測領域１８ａからの反射光を効率的に受光できるように２つの照明ユニット４を対向配置する構成としているが、第１の実施形態と同様に片側配置でもよい。それ以外の構成と動作については第１の実施形態と同様である。
【００３２】
図１０乃至図１５に基づいて第３の実施形態（分光計測装置の他例）を説明する。
図７で示したように、分光計測手段１２が主走査方向（図１のＸ方向）にライン状に複数配置されている場合、通常、図１０に示すように、各分光計測手段に互いの計測領域の反射光成分（迷光）が入射しないよう遮光マスク５０で遮光を行うのが一般的である。
しかしながら、図７で示した実施形態の場合、計測領域１８ａの全域を計測している画像計測手段１６も同光路内にあるため、図１１に示すように、遮光を行うには受光面に非常に近い部分で行うこととなってしまう。
その場合、レイアウト上、十分に遮光できる遮光マスクを設置するスペースが足りずに迷光成分が入射し、フレア等の影響がでてしまい波長スペクトルを安定して精度良く計測することができないことがある。
【００３３】
本実施形態では、この問題を解消することを目的としている。
図１２及び図１３に示すように、本実施形態における分光計測装置３４’は、分光計測ユニット３６’と、２つの照明ユニット４と、複数の折り返しミラー３８ａ、３８ｂ、３８ｃとを有している。
本実施形態では、図１２に示すように、２つの分光計測手段１２と１つの画像計測手段１６とが基板４０上において主走査方向にライン状に配置されておらず、副走査方向（図１のＹ方向）にずらされて配置されている。
換言すれば、２つ分光計測手段１２と１つの画像計測手段１６とは、光照射手段から計測対象に照射された光の反射光を分光計測手段１２と画像計測手段１６のそれぞれの入射面に結像する光路の一部が計測対象の移動方向と直交する、計測対象の幅方向とは異なる方向にずれるように配置されている。
【００３４】
この構成により、分光計測手段１２と画像計測手段１６とは同じ計測領域１８ａを計測し、複数の折り返しミラー３８も共通してはいるが、光軸の角度が副走査方向に少しずれるため、計測部に近付くにつれ副走査方向のサイズが大きい折り返しミラー３８ｃ等を使用することとなる。
これにより、分光計測手段１２と画像計測手段１６との光路を分離して考えることができるため、遮光マスク５０を設置することが容易となる。
本実施形態では、サイズの異なる別々の折り返しミラー３８ａ、３８ｂ、３８ｃを用いたが、組立性を考慮した部品点数削減の目的で、全てサイズの大きい同一の折り返しミラーを用いてもよい。
【００３５】
図１２、図１３で示した構成における遮光マスクの形状の一例を図１４に示す。
図１４において、符号５０ａ、５０ｂは分光計測手段用開口部を、５０ｃは画像計測手段用開口部を示す。
遮光マスク５０は光路中に設置すればよいが、設置のしやすさを考慮すると、折り返しミラー３８に貼り付けることが好ましい。さらに、分光計測手段１２と画像計測手段１６側の折り返しミラー３８、すなわち、光路における反射光の進行方向下流側に位置する折り返しミラー３８ｂ又は折り返しミラー３８ｃに設置するほうが、分光計測手段１２と画像計測手段１６の光路がはっきりと分離しているため好ましい。
【００３６】
また、図１５（ａ）に示すように、計測領域１８ａは副走査方向にも幅を持つため、この幅を含めた反射光が他のレンズ開口部に入射しないように遮光マスクの位置と、副走査方向の開口幅と、分光計測手段１２と画像計測手段１６との分離角を設定する。
換言すれば、遮光マスク５０は、分光計測手段１２と画像計測手段１６との反射光の光路が異なる位置に設けられている。
図１５（ｂ）は良くない例を示している。このような状態では、画像計測手段１６側のマスク開口部から分光計測手段１２側の結像レンズ１０に反射光が入射するため、フレア等の影響がでてしまい、波長スペクトルを安定して精度良く計測することができない。
【００３７】
図１５（ａ）に示すように、分光計測手段１２と画像計測手段１６とは、光照射手段から計測対象に照射された光の反射光の光路の角度が異なる。すなわち、分光計測手段１２と画像計測手段１６とは、反射光の光路の角度が相対的にθ度ずれている。
【００３８】
遮光マスクの材質としては、遮光性、内面反射防止処理のコーティングが施された数十ｍｍ〜数百ｍｍ程度の薄板であれば鉄系、ステンレス系、樹脂等なんでも良く、外観上、黒色またはつや消しとなっている。
【００３９】
図１６に第４の実施形態（画像形成装置）を示す。
画像形成装置本体６０の中央部には、像担持体としての感光体ドラム６２Ｙ、６２Ｍ、６２Ｃ、６２Ｋが配置されている。符号Ｙはトナーの色がイエローであることを、Ｍはトナーの色がマゼンタであることを、Ｃはトナーの色がシアンであることを、Ｋはトナーの色がブラックであることをそれぞれ示している。
各感光体ドラムの周囲には、帯電手段、現像手段、クリーニング手段、感光体初期化手段等が配置されており、周知の作像ユニットを構成している。
画像情報に基づいて露光装置６４から各感光体ドラムに色別の走査光が照射され、静電潜像が形成される。各静電潜像は対応する色のトナーで現像され、可視像となる。
各感光体ドラム上に形成されたトナー像は、中間転写ベルト６６上に重ね合わせて転写される。
【００４０】
画像形成装置本体６０の下部には転写体としての用紙１８が収容された給紙カセット６８が設けられている。用紙１８は最上のものから順に給紙され、レジストローラ対７０でタイミングをとって二次転写部位７２に搬送される。
用紙１８は二次転写部位７２で中間転写ベルト６６上の重ね合わせ画像を転写された後、定着装置７４に送られる。定着を終えた用紙１８は排紙ローラ対７６により画像形成装置本体６０の上面に排出される。
定着装置７４の用紙搬送方向下流側には、用紙１８の画像面に対向するように分光計測装置３４が配置されている。
分光計測装置３４の分光計測手段１２と画像計測手段１６による計測データは制御手段３０に送られる。制御手段３０は画像評価装置として機能し、色再現性を向上させるべく評価結果に基づいて作像条件を調整する。
分光計測装置３４で取得した分光特性から画像形成装置の画像形成条件を調整することにより、出力する画像の色が高精度で安定する。
【００４１】
市場には、プリンタ、複写機、それらと通信機能を有する高付加価値製品である複合機、商業用印刷機など多くの画像形成製品がある。画像形成方法においても、電子写真方式、インクジェット方式、感熱方式等様々である。
プロダクションプリンティング分野においても枚葉機、連帳機共にデジタル化が進み、電子写真方式、インクジェット方式などの製品が多く市場に投入されている。
ユーザーニーズもモノクロ印刷からカラー印刷への移行における画像の多次元化、高精細、高密度化が進んでいる。写真高画質プリント、カタログ印刷、請求書等への個人嗜好に対応した広告掲載等、消費者の手元に届くサービス形態の多様化が進み、高画質、個人情報の保証、色再現への要求も高まっている。
【００４２】
高画質化に対応した技術として、電子写真方式では中間転写体や感光体上の定着前のトナー濃度を検知する濃度センサを搭載してトナー供給量を安定化するものが知られている。
個人情報の保証では画像形成方式によらず出力画像をカメラ等で撮像し文字認識や画像間差分による差異検出で検査するものが知られている。
色再現ではカラーのトナーパターンを出力し、分光計測装置で一点又は複数点の色計測を実行し、キャリブレーションを行うもの等が市場に投入されている。
これらの技術は、ページ間、ページ内での画像変動に対応するため、上記のように、画像全域で実行されることが望ましい。
【００４３】
以上、本発明の好ましい実施の形態について説明したが、本発明はかかる特定の実施形態に限定されるものではなく、上述の説明で特に限定しない限り、特許請求の範囲に記載された本発明の趣旨の範囲内において、種々の変形・変更が可能である。
本発明の実施の形態に記載された効果は、本発明から生じる最も好適な効果を例示したに過ぎず、本発明による効果は、本発明の実施の形態に記載されたものに限定されるものではない。
【符号の説明】
【００４４】
１  転写体としての用紙
２、３４  分光計測装置
４  光照射手段としての照明ユニット
６、３６  分光計測ユニット
１２  分光計測手段
１６  画像計測手段
２１  開口部としてのピンホールアレイ
２２  結像手段としてのレンズアレイ
２３  回折手段としての回折素子
２４  受光手段としての撮像素子
５０  遮光マスク
６２  像担持体としての感光体ドラム
【先行技術文献】
【特許文献】
【００４５】
【特許文献１】特開２００８−２５６５９４号公報
【特許文献２】特許第５７１５２２９号公報
【図１】
2017106887.tif 000003
【図２】
2017106887.tif 000004
【図３】
2017106887.tif 000005
【図４】
2017106887.tif 000006
【図５】
2017106887.tif 000007
【図６】
2017106887.tif 000008
【図７】
2017106887.tif 000009
【図８】
2017106887.tif 000010
【図９】
2017106887.tif 000011
【図１０】
2017106887.tif 000012
【図１１】
2017106887.tif 000013
【図１２】
2017106887.tif 000014
【図１３】
2017106887.tif 000015
【図１４】
2017106887.tif 000016
【図１５】
2017106887.tif 000017
【図１６】
2017106887.tif 000018